(57)【要約】      （修正有）【課題】診療を行ったときの状況を確認できる医用情報処理装置、及び医用情報処理方法を提供する。【解決手段】医用画像処理装置は、ステージ定義機能と、取得機能と、表示制御機能と、を備える。ステージ定義機能は、被検体に対する複数の診療ステージを定義する。取得機能は、複数の診療ステージの各々において、被検体に対して行われた診療に関連する第１情報と、第１情報とは異なり、当該診療において収集される第２情報とを取得する。表示制御機能は、複数の診療ステージのうちの選択された診療ステージにおける第１情報と第２情報とをディスプレイに表示させる。【選択図】図１
2020184181.tif 000002
【特許請求の範囲】
【請求項１】
被検体に対する複数の診療ステージを定義するステージ定義部と、
前記複数の診療ステージの各々において、前記被検体に対して行われた診療に関連する第１情報と、前記第１情報とは異なり、当該診療において収集される第２情報とを取得する取得部と、
前記複数の診療ステージのうちの選択された診療ステージにおける前記第１情報と前記第２情報とを表示部に表示させる表示制御部と、
を備える、医用情報処理装置。
【請求項２】
前記第２情報は、前記被検体を担当した医療スタッフが使用した端末の操作に関する情報を含む、
請求項１に記載の医用情報処理装置。
【請求項３】
前記第２情報は、前記被検体を担当した医療スタッフの体調に関する情報を含む、
請求項１又は２に記載の医用情報処理装置。
【請求項４】
前記第２情報は、前記被検体を担当した医療スタッフの周辺で発生した環境ノイズに関する情報を含む、
請求項１〜３のいずれか一項に記載の医用情報処理装置。
【請求項５】
前記第２情報は、前記被検体から発生するノイズに関する情報を含む、
請求項１〜４のいずれか一項に記載の医用情報処理装置。
【請求項６】
被検体に対する複数の診療ステージを定義するステージ定義工程と、
前記複数の診療ステージの各々において、前記被検体に対して行われた診療に関連する第１情報と、前記第１情報とは異なり、当該診療において収集される第２情報とを取得する取得工程と、
前記複数の診療ステージのうちの選択された診療ステージにおける前記第１情報と前記第２情報とを表示部に表示させる表示制御工程と、
を含む、医用情報処理方法。
【発明の詳細な説明】
【技術分野】
【０００１】
本発明の実施形態は、医用情報処理装置及び医用情報処理方法に関する。
【背景技術】
【０００２】
医師等の医療スタッフは、被検体（例えば、患者）に対して診療を行った際に、当該診療に関連する情報を電子カルテ等に記録する。この場合、当該診療に直接的に関連しない情報については、電子カルテ等には記録されない。このため、医療スタッフが被検体に対して診療を行ったときの状況を後で確認することができない。しかし、当該診療において収集される情報が、将来的に何等かの理由で必要になる可能性がある。
【先行技術文献】
【特許文献】
【０００３】
【特許文献１】国際公開２０１２／００２２８７号
【特許文献２】特開２００８−２２５７１２号公報
【特許文献３】特開平６−０００１７８号公報
【発明の概要】
【発明が解決しようとする課題】
【０００４】
本発明が解決しようとする課題は、診療を行ったときの状況を確認できるようにすることである。
【課題を解決するための手段】
【０００５】
実施形態に係る画像処理装置は、ステージ定義部と、取得部と、表示制御部と、を備える。前記ステージ定義部は、被検体に対する複数の診療ステージを定義する。前記取得部は、前記複数の診療ステージの各々において、前記被検体に対して行われた診療に関連する第１情報と、前記第１情報とは異なり、当該診療において収集される第２情報とを取得する。前記表示制御部は、前記複数の診療ステージのうちの選択された診療ステージにおける前記第１情報と前記第２情報とを表示部に表示させる。
【図面の簡単な説明】
【０００６】
【図１】図１は、本実施形態に係る医用情報処理装置の構成の一例を示す図である。
【図２】図２は、表示制御機能によって表示される画面の一例を示す図である。
【図３】図３は、表示制御機能によって表示される画面の一例を示す図である。
【図４】図４は、診療ステージテーブルの一例を示す図である。
【図５】図５は、取得機能が取得する診療関連情報を説明するための図である。
【図６】図６は、診療関連情報とは異なる情報であり、取得機能が取得する情報の一例を示す図である。
【図７】図７は、取得機能が取得する操作情報を説明するための図である。
【図８】図８は、取得機能が取得する診察時体調情報を説明するための図である。
【図９】図９は、診察時体調情報を取得する構成の一例を示す図である。
【図１０】図１０は、取得機能が取得する診察環境ノイズ情報を説明するための図である。
【図１１】図１１は、診察環境ノイズ情報を取得する構成の一例を示す図である。
【図１２】図１２は、取得機能が取得する患者ノイズ情報を説明するための図である。
【図１３】図１３は、患者ノイズ情報を取得する構成の一例を示す図である。
【図１４】図１４は、患者ノイズ情報を取得する構成の一例を示す図である。
【図１５】図１５は、表示制御機能によって表示される画面の一例を示す図である。
【図１６】図１６は、本実施形態に係る医用情報処理装置による処理の手順を示すフローチャートである。
【図１７】図１７は、患者ノイズ情報として被検体の行動「動画ファイル」を取得する構成の一例を示す図である。
【図１８】図１８は、表示制御機能によって表示される画面の一例を示す図である。
【発明を実施するための形態】
【０００７】
以下、添付図面を参照して、医用情報処理装置及び医用情報処理方法の実施形態について詳細に説明する。
【０００８】
図１は、本実施形態に係る医用情報処理装置１００の構成の一例を示す図である。図１に示すように、本実施形態に係る医用情報処理装置１００は、ネットワーク２００を介して、各システムと通信可能に接続される。例えば、本実施形態に係る医用情報処理装置１００は、ネットワーク２００を介して、検体検査システム３００、画像検査システム４００、電子カルテシステム５００等と通信可能に接続される。医用情報処理装置１００及び各システムは、例えば、病院等に設置され、院内ＬＡＮ（Local  Area  Network）等のネットワーク２００によって相互に接続される。
【０００９】
検体検査システム３００は、被検体（例えば、患者）に対して実施された検体検査に関する診療データを生成し、システム内の記憶回路に記憶する。そして、検体検査システム３００は、医用情報処理装置１００からの要求に応じて、記憶回路に記憶されている診療データを医用情報処理装置１００に送信する。
【００１０】
画像検査システム４００は、被検体に対して実施されたバイタルや画像検査に関する診療データを生成し、システム内の記憶回路に記憶する。例えば、画像検査システム４００としては、ＰＡＣＳ（Picture  Archiving  and  Communication  Systems）等が挙げられる。この場合、画像検査には、Ｘ線ＣＴ（Computed  Tomography）装置によって撮像されたＣＴ画像を用いた検査や、ＭＲＩ（Magnetic  Resonance  Imaging）装置によって撮像されたＭＲ画像を用いた検査、超音波診断装置によって撮像された超音波画像を用いた検査、Ｘ線診断装置によって撮像されたＸ線画像を用いた検査等が含まれる。そして、画像検査システム４００は、医用情報処理装置１００からの要求に応じて、記憶回路に記憶されている診療データを医用情報処理装置１００に送信する。
【００１１】
電子カルテシステム５００は、被検体の所見、被検体に対して実施された処方や看護記録に関する診療データを生成して、システム内の記憶回路に記憶する。そして、電子カルテシステム５００は、医用情報処理装置１００からの要求に応じて、記憶回路に記憶されている診療データを医用情報処理装置１００に送信する。
【００１２】
医用情報処理装置１００は、ネットワーク２００を介して、電子カルテシステム５００から各種の診療データを取得し、取得した診療データを用いて各種の情報処理を行う。例えば、医用情報処理装置１００は、ワークステーションやパーソナルコンピュータ、タブレット端末等のコンピュータ機器によって実現される。
【００１３】
具体的には、医用情報処理装置１００は、入力インターフェース１１０と、ディスプレイ１２０と、通信インターフェース１３０と、記憶回路１４０と、処理回路１５０とを有する。
【００１４】
入力インターフェース１１０は、処理回路１５０に接続されており、操作者から各種指示及び各種情報の入力操作を受け付ける。具体的には、入力インターフェース１１０は、操作者から受け付けた入力操作を電気信号へ変換して処理回路１５０に出力する。例えば、入力インターフェース１１０は、トラックボール、スイッチボタン、マウス、キーボード、操作面へ触れることで入力操作を行うタッチパッド、表示画面とタッチパッドとが一体化されたタッチスクリーン、光学センサを用いた非接触入力回路、及び音声入力回路等によって実現される。なお、本明細書において、入力インターフェース１１０は、マウス、キーボード等の物理的な操作部品を備えるものだけに限られない。例えば、装置とは別体に設けられた外部の入力機器から入力操作に対応する電気信号を受け取り、この電気信号を制御回路へ出力する電気信号の処理回路も入力インターフェース１１０の例に含まれる。なお、入力インターフェース１１０は、入力部の実現手段の一例である。
【００１５】
ディスプレイ１２０は、処理回路１５０に接続されており、各種情報及び各種画像を表示する。具体的には、ディスプレイ１２０は、処理回路１５０から送られる各種情報及び各種画像のデータを表示用の電気信号に変換して出力する。例えば、ディスプレイ１２０は、液晶モニタやＣＲＴ（Cathode  Ray  Tube）モニタ、タッチパネル等によって実現される。なお、ディスプレイ１２０は、表示部の実現手段の一例である。
【００１６】
通信インターフェース１３０は、処理回路１５０に接続されており、医用情報処理装置１００と各システムとの間で行われる各種データの伝送及び通信を制御する。例えば、通信インターフェース１３０は、各システムから診療データを受信し、受信した診療データを処理回路１５０に出力する。通信インターフェース１３０は、例えば、ネットワークカードやネットワークアダプタ、ＮＩＣ（Network  Interface  Controller）等によって実現される。
【００１７】
記憶回路１４０は、処理回路１５０に接続されており、各種データを記憶する。具体的には、記憶回路１４０は、各システムから受信した診療データを記憶する。例えば、記憶回路１４０は、ＲＡＭ（Random  Access  Memory）、フラッシュメモリ等の半導体メモリ素子や、ハードディスク、光ディスク等によって実現される。なお、記憶回路１４０は、記憶部の実現手段の一例である。また、記憶回路１４０は、医用情報処理装置１００がネットワーク２００上でアクセス可能であれば、医用情報処理装置１００に内蔵されていなくてもよい。
【００１８】
記憶回路１４０は、診療ＤＢ（Data  Base）１４１を含む。診療ＤＢ１４１は、検体検査システム３００、画像検査システム４００、及び、電子カルテシステム５００から取得した各種の診療データを記憶する。ここで、診療ＤＢ１４１に記憶される診療データには、数値（計測値）や診療記録等の情報と、それらの記録日時を示す情報とが含まれる。
【００１９】
例えば、診療ＤＢ１４１に記憶される診療データとしては、検体検査データ、バイタルデータ、画像データ、処方データ、看護記録データ等が挙げられる。検体検査データは、検体検査システム３００から取得した検体検査に関する診療データである。また、バイタルデータは、放射線部門システム４００から取得したバイタルに関する診療データである。また、画像データは、放射線部門システム４００から取得した画像検査に関する診療データである。また、処方データは、電子カルテシステム５００から取得した処方に関する診療データである。また、看護記録データは、電子カルテシステム５００から取得した看護記録に関する診療データである。なお、診療ＤＢ１４１に記憶される診療データは、検体検査システム３００、画像検査システム４００、及び、電子カルテシステム５００の各々から取得されたデータそのものでもよいし、各システムから取得したデータを統合したものであってもよい。
【００２０】
更に、記憶回路１４０は、後述する処理回路１５０が有する各処理機能によって用いられる各種のテーブルを記憶する。各種のテーブルについては後述する。
【００２１】
処理回路１５０は、入力インターフェース１１０を介して操作者から受け付けた入力操作に応じて、医用情報処理装置１００の構成要素を制御する。具体的には、処理回路１５０は、通信インターフェース１３０から出力される診療データを記憶回路１４０に記憶させる。また、処理回路１５０は、記憶回路１４０から診療データを読み出し、ディスプレイ１２０に表示する。
【００２２】
例えば、処理回路１５０は、図１に示すように、表示制御機能１５１と、ステージ定義機能１５２と、取得機能１５３と、記録処理機能１５４とを実行する。ここで、例えば、処理回路１５０の構成要素である表示制御機能１５１、ステージ定義機能１５２、取得機能１５３及び記録処理機能１５４が実行する各処理機能は、コンピュータによって実行可能なプログラムの形態で記憶回路１４０に記録されている。処理回路１５０は、各プログラムを記憶回路１４０から読み出し、実行することで各プログラムに対応する機能を実現するプロセッサである。換言すると、各プログラムを読み出した状態の処理回路１５０は、図１の処理回路１５０内に示された各機能を有することとなる。ここで、表示制御機能１５１は、表示制御部の一例である。ステージ定義機能１５２は、ステージ定義部の一例である。取得機能１５３は、取得部の一例である。記録処理機能１５４は、記録処理部の一例である。
【００２３】
なお、上記説明において用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  GateArray：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。
【００２４】
以上、本実施形態に係る医用情報処理装置１００の全体構成について説明した。このような構成のもと、診療を行ったときの状況を確認するために、本実施形態に係る医用情報処理装置１００は、以下の処理を行う。まず、本実施形態に係る医用情報処理装置１００では、ステージ定義機能１５２は、被検体に対する複数の診療ステージを定義する。そして、取得機能１５３は、複数の診療ステージの各々において、被検体に対して行われた診療に関連する第１情報と、第１情報とは異なり、当該診療において収集される第２情報とを取得し、記録処理機能１５４は、取得した第１情報と第２情報とを記憶回路１４０に記憶させる。表示制御機能１５１は、複数の診療ステージのうちの１つの診療ステージが選択された場合、選択された診療ステージにおける第１情報と第２情報とをディスプレイ１２０に表示させる。第２情報は、被検体に対して行われた診療において収集される情報であるため、将来的に何等かの理由で使用される可能性がある。本実施形態に係る医用情報処理装置１００では、第２情報を記憶回路１４０に記憶させておくことにより、診療を行ったときの状況を確認することができる。
【００２５】
図２、図３は、表示制御機能１５１によって表示される画面の一例を示す図である。例えば、図２に示すように、表示制御機能１５１は、操作者からの要求に応じて、処理切替表示領域１１と、診療ステージ表示領域１２と、動的情報表示領域１３と、診察環境表示領域１４とを含む画面１０をディスプレイ１２０に表示させる。
【００２６】
例えば、処理切替表示領域１１は、操作者が処理を選択する選択ボタン１１Ａと、現在選択されている処理を表示する処理表示領域１１Ｂとを含む。例えば、操作者が入力インターフェース１１０を用いて選択ボタン１１Ａを操作することにより、図３に示すように、処理切替表示領域１１上、又は、処理切替表示領域１１の近辺に、操作者が処理を選択するための一覧表１１Ｃが表示される。一覧表１１Ｃに表示される処理としては、例えば、診療ステージを定義する処理「定義」、記憶回路１４０に記録するデータの項目を定義する処理「記録」、記憶回路１４０に記録したデータを画面１０の診療ステージ表示領域１２、動的情報表示領域１３及び診察環境表示領域１４に再生する処理「再生」等が挙げられる。処理「再生」において、画面１０の診療ステージ表示領域１２、動的情報表示領域１３及び診察環境表示領域１４に表示される表示内容については後述する。
【００２７】
まず、処理「定義」において、ステージ定義機能１５２が行う処理について説明する。ステージ定義機能１５２は、被検体に対する複数の診療ステージを定義する。
【００２８】
例えば、操作者が入力インターフェース１１０を用いて選択ボタン１１Ａを操作することにより、一覧表１１Ｃから処理「定義」を選択した場合、表示制御機能１５１は、診療ステージテーブルをディスプレイ１２０に表示させて、ステージ定義機能１５２は、診療ステージテーブル上で操作者が入力インターフェース１１０を操作することにより、被検体（例えば、患者）に対する診療ステージを定義する。
【００２９】
図４は、診療ステージテーブルの一例を示す図である。例えば、図４に示すように、診療ステージテーブルは、患者番号と、診療名と、診療ステージと、ログコードとを対応付けて記憶する。診療ステージテーブルに記憶される患者番号には、被検体（患者）を一意に識別する識別情報が設定される。また、診療ステージテーブルに記憶される診療名には、当該被検体に対する診療の名称が設定される。診療ステージテーブルに記憶される診療ステージには、当該被検体に対する診療の流れを表す情報が設定される。
【００３０】
例えば、被検体が外来患者である場合、当該被検体に対する診療の流れとして、受付から会計までの診療の流れが診療ステージテーブルに記憶される。例えば、図４において、診療ステージテーブルには、患者番号「Ｐ１２３４」の被検体に対して、診療名「痛風経過観察」が記憶される。また、診療ステージテーブルには、患者番号「Ｐ１２３４」と診療名「痛風経過観察」とに対応付けて、診療ステージ「受付」、「診察」、「検査」、「診察（再）」、「処方」、「会計」の情報が記憶される。
【００３１】
次に、処理「記録」において、取得機能１５３及び記録処理機能１５４が行う処理について説明する。取得機能１５３は、複数の診療ステージの各々において、被検体に対して行われた診療に関連する第１情報と、第１情報とは異なり、当該診療において収集される第２情報とを取得し、記録処理機能１５４は、取得した第１情報と第２情報とを記憶回路１４０に記憶させる。
【００３２】
取得機能１５３は、診療ステージ毎に、検体検査システム３００、画像検査システム４００、及び、電子カルテシステム５００等の各システムから診療データを、被検体に対して行われた診療に関連する診療関連情報として取得し、記録処理機能１５４は、取得した診療関連情報を診療ステージテーブルに記憶させる。診療関連情報は、例えば、操作者が入力インターフェース１１０を用いて処理切替表示領域１１上で処理「記録」を選択した場合に定義され、その後、取得機能１５３により取得され、記録処理機能１５４により診療ステージテーブルに記録される。なお、診療関連情報は、第１情報の一例である。
【００３３】
図５は、取得機能１５３が取得する診療関連情報を説明するための図である。例えば、被検体が外来患者である場合、診療ステージ「受付」、「診察」、「検査」、「診察（再）」、「処方」、「会計」の順で診療が行われる。「診察」は、１回目の診察を表し、「診察（再）」は、２回目の診察を表す。
【００３４】
例えば、診療ステージ「受付」において、取得機能１５３は、各システムから被検体の基本情報を診療関連情報として取得し、記録処理機能１５４は、取得した診療関連情報を診療ステージテーブルに記憶させる。基本情報は、被検体の患者番号「Ｐ１２３４」、氏名、生年月日、性別、血液型、身長、体重等を含む。
【００３５】
例えば、診療ステージ「診察」において、取得機能１５３は、被検体の基本情報と、診療名「痛風経過観察」と、前回までの診療「痛風」の被検体の投薬の履歴を表す「薬歴」と、前回までの診療「痛風」の被検体の検体検査の履歴を表す「検歴」と、前回の診療「痛風」の診察内容を表す「診察（前回）」と、医師が診断結果に基づいて出した指示内容を表す「指示」とを診療関連情報として取得し、記録処理機能１５４は、取得した診療関連情報を診療ステージテーブルに記憶させる。
【００３６】
例えば、診療ステージ「検査」において、取得機能１５３は、被検体の基本情報と、前回の診療「痛風」で検査したときの検査値を表す「検査値（前回）」と、上記診療ステージ「診察」で医師が出した指示を表す「指示（今回）」とを診療関連情報として取得し、記録処理機能１５４は、取得した診療関連情報を診療ステージテーブルに記憶させる。
【００３７】
例えば、診療ステージ「診察（再）」において、取得機能１５３は、被検体の基本情報と、診療名「痛風経過観察」と、前回の診療「痛風」で検査したときの検査値を表す「検査値（前回）」と、上記診療ステージ「検査」で検査したときの検査値を表す「検査値（今回）」と、医師が検査結果に基づいて出した指示内容を表す「指示」とを診療関連情報として取得し、記録処理機能１５４は、取得した診療関連情報を診療ステージテーブルに記憶させる。
【００３８】
例えば、診療ステージ「処方」において、取得機能１５３は、被検体の基本情報と、診療名「痛風経過観察」と、前回までの診療「痛風」で処方された薬剤の履歴を表す「薬歴」と、上記診療ステージ「診察（再）」で医師が出した指示内容を表す「指示（今回）」とを診療関連情報として取得し、記録処理機能１５４は、取得した診療関連情報を診療ステージテーブルに記憶させる。
【００３９】
例えば、診療ステージ「会計」において、取得機能１５３は、被検体の基本情報と、診療名「痛風経過観察」とを診療関連情報として取得し、記録処理機能１５４は、取得した診療関連情報を診療ステージテーブルに記憶させる。
【００４０】
なお、本実施形態では、被検体が外来患者である場合を例にしているが、これに限定されない。例えば、被検体が入院患者である場合、当該被検体に対する診療の流れとして、入院日から退院日までの設定期間中の診療の流れが診療ステージテーブルに記憶されてもよい。
【００４１】
ここで、被検体が外来患者である場合、図４において、診療ステージテーブルに記憶される情報として、診療ステージ「受付」、「診察」、「検査」、「診察（再）」、「処方」、「会計」に対応付けて、それぞれログコード「１１１１１」、「１１１１２」、「１１１１３」、「１１１１４」、「１１１１５」、「１１１１６」が設定される。
【００４２】
各診療ステージにおいて、取得機能１５３は、後述する操作情報、診察時体調情報、診察環境ノイズ情報、及び、患者ノイズ情報を取得して、記録処理機能１５４は、取得した情報を診療ステージテーブルに記憶させる。例えば、図６に示すように、診療ステージ「診察」において、取得機能１５３は、期間「２０１８年３月１日９時〜２０１８年３月１日１２時」に、操作情報、診察時体調情報、診察環境ノイズ情報、及び、患者ノイズ情報を取得して、記録処理機能１５４は、取得した情報をログコード「１１１１２」に対応付けて診療ステージテーブルに記憶させる。操作情報、診察時体調情報、診察環境ノイズ情報、及び、患者ノイズ情報は、上述の診療関連情報とは異なり、当該診療において収集される情報である。ここで、操作情報、診察時体調情報、診察環境ノイズ情報、及び、患者ノイズ情報は、第２情報の一例である。
【００４３】
図７は、取得機能１５３が取得する操作情報を説明するための図である。例えば、診療ステージ「診察」において、取得機能１５３は、被検体を担当する医療スタッフが働く診察室に設置された端末の操作に関する情報として、当該端末に対して設定された操作番号と、ＧＵＩ（Graphical  User  Interface）の種類を示すＧＵＩ種と、操作の日時と、当該端末が表示した内容と、当該端末の操作内容とを対応付ける操作情報を取得し、記録処理機能１５４は、取得した操作情報をログコード「１１１１２」に対応付けて診療ステージテーブルに記憶させる。操作情報は、例えば、操作者が入力インターフェース１１０を用いて処理切替表示領域１１上で処理「記録」を選択した場合に定義され、その後、取得機能１５３により取得され、記録処理機能１５４により診療ステージテーブルに記録される。操作情報は、例えば、被検体に対して行われた診療において収集される情報であるため、将来的に何等かの理由で使用される可能性がある。
【００４４】
例えば、図７に示すように、診療ステージ「診察」において、取得機能１５３は、当該端末に対して設定された操作番号「Ｌ２」と、ＧＵＩ種「マウス」と、操作の日時「２０１８年３月１日９時」と、当該端末が表示した内容「検歴」と、当該端末の操作内容「ｘ１０、ｙ０、ｃｃ」とを操作情報として取得し、記録処理機能１５４は、取得した操作情報を診療ステージテーブルに記憶させる。操作内容「ｘ１０、ｙ０、ｃｃ」は、例えば、当該端末の操作内容を表し、「ｘ１０」、「ｙ０」は、それぞれ、当該端末の画面内のｘ座標、ｙ座標を表し、「ｃｃ」は、当該端末の画面内の座標「ｘ１０、ｙ０」に対して、操作者がＧＵＩ種「マウス」によりダブルクリックを行ったことを表している。診療ステージ「診察」において、取得機能１５３は、期間「２０１８年３月１日９時〜２０１８年３月１日１２時」に操作情報を取得して、記録処理機能１５４は、取得した操作情報をログコード「１１１１２」に対応付けて診療ステージテーブルに記憶させる。
【００４５】
なお、操作情報として、マウスのダブルクリックの操作を例にしたが、これに限定されず、マウスのクリック（ダブルクリック）の他に、カーソルの移動、キー操作、スクロール操作等が含まれていてもよい。また、操作情報として、表示順の変更、レイアウト変更、印刷処理等が含まれていてもよい。
【００４６】
図８は、取得機能１５３が取得する診察時体調情報を説明するための図である。例えば、診療ステージ「診察」において、取得機能１５３は、被検体を担当する医療スタッフの診察時の体調に関する情報として、当該医療スタッフの職員番号と、種類と、項目と、日時と、身体測定データとを対応付ける診察時体調情報を取得し、記録処理機能１５４は、取得した診察時体調情報をログコード「１１１１２」に対応付けて診療ステージテーブルに記憶させる。職員番号には、医師等の医療スタッフを一意に識別する識別情報が設定される。診察時体調情報は、例えば、操作者が入力インターフェース１１０を用いて処理切替表示領域１１上で処理「記録」を選択した場合に定義され、その後、取得機能１５３により取得され、記録処理機能１５４により診療ステージテーブルに記録される。診察時体調情報は、例えば、被検体に対して行われた診療において収集される情報であるため、将来的に何等かの理由で使用される可能性がある。
【００４７】
例えば、図８に示すように、診療ステージ「診察」において、取得機能１５３は、当該医療スタッフの職員番号「Ｑ１」と、種類「バイタル」と、項目「脈拍」と、日時「２０１８年３月１日９時」と、身体測定データとして脈拍値「６０、６５、７０、８０、８０、７５、…［／１分間］」とを対応付ける診察時体調情報を取得し、記録処理機能１５４は、取得した診察時体調情報をログコード「１１１１２」に対応付けて診療ステージテーブルに記憶させる。身体測定データは、設定間隔毎に計測される。身体測定データは、設定間隔毎に計測される。診療ステージ「診察」において、取得機能１５３は、期間「２０１８年３月１日９時〜２０１８年３月１日１２時」に診察時体調情報を取得して、記録処理機能１５４は、取得した診察時体調情報をログコード「１１１１２」に対応付けて診療ステージテーブルに記憶させる。
【００４８】
なお、身体測定データは、脈拍や体温の情報に限らず、図８に示すように、当該医療スタッフの脳波やアルコール濃度等の情報も含まれていてもよい。
【００４９】
図９は、診察時体調情報を取得する構成の一例を示す図である。例えば、医師等の医療スタッフにはウェアラブル端末２０が装着される。ウェアラブル端末２０は、例えば、腕時計型であり、医療スタッフの腕に装着される。ウェアラブル端末２０は、当該医療スタッフの脈拍や体温等の身体測定データを測定する。そして、ウェアラブル端末２０は、診察時体調情報として、当該医療スタッフの職員番号「Ｑ１」、種類、項目、日時、身体測定データ（脈拍や体温等）を無線通信２１により医用情報処理装置１００に送信する。医用情報処理装置１００において、取得機能１５３は、ウェアラブル端末２０からの診察時体調情報を取得し、記録処理機能１５４は、取得した診察時体調情報をログコード「１１１１２」に対応付けて診療ステージテーブルに記憶させる。
【００５０】
図１０は、取得機能１５３が取得する診察環境ノイズ情報を説明するための図である。例えば、診療ステージ「診察」において、取得機能１５３は、被検体を担当する医療スタッフの周辺（例えば、医療スタッフが働く診察室）で発生した環境ノイズに関する情報として、環境番号と、種類と、項目と、日時と、環境データとを対応付ける診察環境ノイズ情報を取得し、記録処理機能１５４は、取得した診察環境ノイズ情報をログコード「１１１１２」に対応付けて診療ステージテーブルに記憶させる。環境番号には、例えば、医師等の医療スタッフが働く診察室等を一意に識別する識別情報が設定される。診察環境ノイズ情報は、例えば、操作者が入力インターフェース１１０を用いて処理切替表示領域１１上で処理「記録」を選択した場合に定義され、その後、取得機能１５３により取得され、記録処理機能１５４により診療ステージテーブルに記録される。診察環境ノイズ情報は、例えば、被検体に対して行われた診療において収集される情報であるため、将来的に何等かの理由で使用される可能性がある。
【００５１】
例えば、図１０に示すように、診療ステージ「診察」において、取得機能１５３は、被検体を担当する医療スタッフが働く診察室に対して設定された環境番号「Ｒ１２」と、種類「環境」と、項目「気温」と、日時「２０１８年３月１日９時」と、環境データとして診察室に設置された温度センサの値「２４、２４．２、２４、２４．１、…［度］」とを対応付ける診察環境ノイズ情報を取得し、記録処理機能１５４は、取得した診察環境ノイズ情報をログコード「１１１１２」に対応付けて診療ステージテーブルに記憶させる。また、例えば、図１０に示すように、診療ステージ「診察」において、取得機能１５３は、環境番号「Ｒ１２」と、種類「什器」と、項目「診察机」と、日時「２０１８年３月１日９時」と、環境データとして診察室に設置された診察机の揺らぎの値「０、０．１、０、−０．１、…［ｃｍ］」とを対応付ける診察環境ノイズ情報を取得し、記録処理機能１５４は、取得した診察環境ノイズ情報をログコード「１１１１２」に対応付けて診療ステージテーブルに記憶させる。ここで、診察机の揺らぎとは、診察机の脚の長さが微妙に異なる等の要因で、診察机が僅かに揺れるような振動である。また、例えば、図１０に示すように、診療ステージ「診察」において、取得機能１５３は、環境番号「Ｒ１２」と、種類「音」と、項目「診察机」と、日時「２０１８年３月１日９時」と、環境データとして診察室に設置された診察机の音「雑音ファイル」とを対応付ける診察環境ノイズ情報を取得し、記録処理機能１５４は、取得した診察環境ノイズ情報をログコード「１１１１２」に対応付けて診療ステージテーブルに記憶させる。診察机の音とは、診察机の脚の長さが微妙に異なる等の要因で、診察机が僅かに揺れたときに生じる音である。環境データは、設定間隔毎に計測される。診療ステージ「診察」において、取得機能１５３は、期間「２０１８年３月１日９時〜２０１８年３月１日１２時」に診察環境ノイズ情報を取得して、記録処理機能１５４は、取得した診察環境ノイズ情報をログコード「１１１１２」に対応付けて診療ステージテーブルに記憶させる。
【００５２】
なお、環境データは、気温、揺らぎ、音の情報に限らず、診察室の背景のノイズ（雑音、光（採光の変化）、気圧、湿度、診察机の設置状態（配置、傾き、質感（表面の粗さ、反射率、硬度、模様）等の情報も含まれていてもよい。
【００５３】
図１１は、診察環境ノイズ情報を取得する構成の一例を示す図である。例えば、診察室３０には、診察机３１、端末３２が設置されている。また、診察室３０には、診察室３０の気温として温度を計測する温度センサ３３が設置され、端末３２は、診察室３０の気温を温度センサ３３から収集する。また、診察机３１には、診察机３１の揺らぎを測定する振動センサ３４が設置され、端末３２は、診察机３１の揺らぎを振動センサ３４から収集する。また、診察机３１には、診察机３１の音を集音する集音マイク３５が設置され、端末３２は、診察机３１の音を集音マイク３５から収集する。そして、端末３２は、診察環境ノイズ情報として、環境番号「Ｒ１２」、種類、項目、日時、診察環境ノイズ情報（診察室３０の気温、診察机３１の揺らぎ、診察机３１の音など）をネットワーク２００により医用情報処理装置１００に送信する。医用情報処理装置１００において、取得機能１５３は、端末３２からの診察環境ノイズ情報を取得し、記録処理機能１５４は、取得した診察環境ノイズ情報を診療ステージテーブルに記憶させる。
【００５４】
図１２は、取得機能１５３が取得する患者ノイズ情報を説明するための図である。例えば、診療ステージ「診察」において、取得機能１５３は、被検体から発生するノイズに関する情報として、患者番号と、種類と、項目と、日時と、患者行動データとを対応付ける患者ノイズ情報を取得し、記録処理機能１５４は、取得した患者ノイズ情報をログコード「１１１１２」に対応付けて診療ステージテーブルに記憶させる。患者番号には、被検体（患者）を一意に識別する識別情報が設定される。患者ノイズ情報は、例えば、操作者が入力インターフェース１１０を用いて処理切替表示領域１１上で処理「記録」を選択した場合に定義され、その後、取得機能１５３により取得され、記録処理機能１５４により診療ステージテーブルに記録される。患者ノイズ情報は、例えば、被検体に対して行われた診療において収集される情報であるため、将来的に何等かの理由で使用される可能性がある。
【００５５】
例えば、図１２に示すように、診療ステージ「診察」において、取得機能１５３は、被検体の患者番号「Ｐ１２３４」と、種類「音」と、項目「本人」と、日時「２０１８年３月１日９時」と、患者行動データとして被検体の言動「雑音ファイル」とを対応付ける患者ノイズ情報を取得し、記録処理機能１５４は、取得した患者ノイズ情報をログコード「１１１１２」に対応付けて診療ステージテーブルに記憶させる。また、例えば、図１２に示すように、診療ステージ「診察」において、取得機能１５３は、被検体の患者番号「Ｐ１２３４」と、種類「音」と、項目「スリッパ」と、日時「２０１８年３月１日９時」と、患者行動データとして被検体の歩行時の音「雑音ファイル」とを対応付ける患者ノイズ情報を取得し、記録処理機能１５４は、取得した患者ノイズ情報をログコード「１１１１２」に対応付けて診療ステージテーブルに記憶させる。被検体の歩行時の音は、被検体がスリッパにより歩行したときの音である。また、例えば、図１２に示すように、診療ステージ「診察」において、取得機能１５３は、被検体の患者番号「Ｐ１２３４」と、種類「軌跡」と、項目「本人」と、日時「２０１８年３月１日９時」と、患者行動データとして被検体の行動「動画ファイル」とを対応付ける患者ノイズ情報を取得し、記録処理機能１５４は、取得した患者ノイズ情報をログコード「１１１１２」に対応付けて診療ステージテーブルに記憶させる。患者行動データは、設定間隔毎に計測される。診療ステージ「診察」において、取得機能１５３は、期間「２０１８年３月１日９時〜２０１８年３月１日１２時」に患者ノイズ情報を取得して、記録処理機能１５４は、取得した患者ノイズ情報をログコード「１１１１２」に対応付けて診療ステージテーブルに記憶させる。
【００５６】
なお、患者行動データは、被検体の言動、音、行動の情報に限らず、被検体の視線や歩行時のぶれ等の情報も含まれていてもよい。
【００５７】
図１３は、患者ノイズ情報として被検体の言動「雑音ファイル」を取得する構成の一例を示す図である。例えば、被検体にはウェアラブル端末４０が装着される。ウェアラブル端末４０は、例えば、腕時計型であり、被検体の腕に装着される。ウェアラブル端末４０には集音マイク４１が設けられ、ウェアラブル端末４０は、被検体の言動を集音マイク４１から収集する。そして、ウェアラブル端末４０は、患者ノイズ情報として、被検体の患者番号「Ｐ１２３４」と、種類「音」と、項目「本人」と、日時「２０１８年３月１日９時」と、患者行動データとして被検体の言動「雑音ファイル」とを無線通信４２により医用情報処理装置１００に送信する。ここで、ウェアラブル端末４０は、被検体の脈拍や体温等の身体測定データを測定し、診療データとして医用情報処理装置１００に送信してもよい。医用情報処理装置１００において、取得機能１５３は、ウェアラブル端末４０からの患者ノイズ情報を取得し、記録処理機能１５４は、取得した患者ノイズ情報を診療ステージテーブルに記憶させる。
【００５８】
図１４は、患者ノイズ情報として被検体の歩行時の音「雑音ファイル」を取得する構成の一例を示す図である。例えば、被検体にはウェアラブル端末４３が装着される。ウェアラブル端末４３は、例えば、腕時計型であり、被検体の足首に装着される。ウェアラブル端末４３には集音マイク４４が設けられ、ウェアラブル端末４３は、被検体がスリッパにより歩行したときの音を集音マイク４４から収集する。そして、ウェアラブル端末４３は、患者ノイズ情報として、被検体の患者番号「Ｐ１２３４」と、種類「音」と、項目「スリッパ」と、日時「２０１８年３月１日９時」と、患者行動データとして被検体の歩行時の音「雑音ファイル」とを無線通信４５により医用情報処理装置１００に送信する。医用情報処理装置１００において、取得機能１５３は、ウェアラブル端末４３からの患者ノイズ情報を取得し、記録処理機能１５４は、取得した患者ノイズ情報を診療ステージテーブルに記憶させる。
【００５９】
次に、処理「再生」において、表示制御機能１５１が行う処理について説明する。表示制御機能１５１は、複数の診療ステージのうちの１つの診療ステージが選択された場合、選択された診療ステージにおける第１情報（診療関連情報）と第２情報（操作情報、診察時体調情報、診察環境ノイズ情報、及び、患者ノイズ情報）とをディスプレイ１２０（画面１０）に表示させる。ここで、処理「再生」において、画面１０の診療ステージ表示領域１２、動的情報表示領域１３及び診察環境表示領域１４に表示される表示内容について説明する。
【００６０】
まず、画面１０の診療ステージ表示領域１２について説明する。図１５に示すように、例えば、診療ステージ表示領域１２は、基本情報表示欄１２Ａと、診療名表示欄１２Ｂと、診療状況表示欄１２Ｃと、ステージバー表示欄１２Ｄとを含む。基本情報表示欄１２Ａは、診療ステージテーブルに記憶された診療関連情報のうちの被検体の基本情報を表示する。診療名表示欄１２Ｂは、診療ステージテーブルに記憶された診療関連情報のうちの被検体の診療名を表す情報を表示する。診療状況表示欄１２Ｃは、診療ステージテーブルに記憶された複数の診療ステージのうち、操作者により指定された診療ステージの名称を表示する。
【００６１】
ステージバー表示欄１２Ｄは、当該被検体に対する診療の流れとして受付から会計までの診療の流れを表示する。すなわち、ステージバー表示欄１２Ｄは、診療ステージテーブルに記憶された当該被検体に対する診療ステージ「受付」、「診察」、「検査」、「診察（再）」、「処方」、「会計」を時系列に表示する。また、ステージバー表示欄１２Ｄは、診療ステージ「受付」、「診察」、「検査」、「診察（再）」、「処方」、「会計」を選択するための選択欄を表示する。
【００６２】
例えば、操作者が入力インターフェース１１０を用いて処理切替表示領域１１上で処理「再生」を選択した場合、ステージバー表示欄１２Ｄの選択欄により、診療ステージ「受付」、「診察」、「検査」、「診察（再）」、「処方」、「会計」のうちの１つの診療ステージを選択することができる。例えば、操作者が入力インターフェース１１０を用いてステージバー表示欄１２Ｄの選択欄により診療ステージ「診察」を選択した場合、表示制御機能１５１は、診療ステージ「診察」を診療状況表示欄１２Ｃに表示する。また、表示制御機能１５１は、診療ステージテーブルに記憶された診療関連情報のうち、診療ステージ「診察」における被検体の基本情報、診療名をそれぞれ基本情報表示欄１２Ａ、診療名表示欄１２Ｂに表示する。
【００６３】
次に、画面１０の動的情報表示領域１３について説明する。図１５に示すように、例えば、動的情報表示領域１３は、５つの表示領域１３−１、１３−２、１３−３、１３−４、１３−５を含む。
【００６４】
例えば、ステージバー表示欄１２Ｄの選択欄により診療ステージ「診察」が選択された場合、表示制御機能１５１は、診療ステージテーブルに記憶された診療関連情報のうち、当該診療ステージ「診察」における被検体の検体検査の履歴を表示領域１３−１に表示し、その詳細情報を表示領域１３−４に表示する。また、表示制御機能１５１は、例えば、診療ステージテーブルに記憶された診療関連情報のうち、当該診療ステージ「診察」における被検体の投薬の履歴を表示領域１３−２に表示する。
【００６５】
また、ステージバー表示欄１２Ｄの選択欄により診療ステージ「診察」が選択された場合、表示制御機能１５１は、当該診療ステージ「診察」において被検体から発生するノイズを表す情報（患者ノイズ情報）を、記憶回路１４０の診療ステージテーブルから読み出し、例えば、表示領域１３−３に表示する。ここで、患者ノイズ情報が被検体の言動「雑音ファイル」である場合は、処理回路１５０が、被検体の言動「雑音ファイル」をスピーカから出力してもよいし、処理回路１５０の表示制御機能１５１が、被検体の言動「雑音ファイル」を文字に変換して、表示領域１３−３に表示してもよい。
【００６６】
このように、本実施形態に係る医用情報処理装置１００では、被検体から発生するノイズに関する情報を患者ノイズ情報として取得し、記憶回路１４０の診療ステージテーブルに記録しておくことにより、被検体（患者）の変化等を確認することができる。例えば、被検体の言動「雑音ファイル」を患者ノイズ情報として取得し、記憶回路１４０の診療ステージテーブルに記録しておくことにより、被検体が認知症の疑いがあり、かつ、被検体が同じことを何回も言う場合、被検体がいつ頃から同じことを言っていたのか等を確認することができる。したがって、本実施形態に係る医用情報処理装置１００では、患者ノイズ情報を記憶回路１４０に記憶させておくことにより、医療スタッフが被検体に対して診療を行ったときの状況として、被検体から発生するノイズを確認することができる。
【００６７】
また、ステージバー表示欄１２Ｄの選択欄により診療ステージ「診察」が選択された場合、表示制御機能１５１は、当該診療ステージ「診察」において被検体を担当する医療スタッフが働く診察室に設置された端末の操作に関する情報（操作情報）を、記憶回路１４０の診療ステージテーブルから読み出し、例えば、表示領域１３−５に表示する。
【００６８】
このように、本実施形態に係る医用情報処理装置１００では、被検体を担当する医療スタッフの端末の操作内容等の情報を操作情報として取得し、記憶回路１４０の診療ステージテーブルに記録しておくことにより、各診療ステージにおいて医療スタッフが被検体に対して何に注目していたか等を確認することができる。したがって、本実施形態に係る医用情報処理装置１００では、操作情報を記憶回路１４０に記憶させておくことにより、医療スタッフが被検体に対して診療を行ったときの状況として、医療スタッフの端末の操作を確認することができる。
【００６９】
次に、画面１０の診察環境表示領域１４について説明する。図１５に示すように、例えば、診察環境表示領域１４は、２つの表示領域１４−１、１４−２を含む。
【００７０】
例えば、ステージバー表示欄１２Ｄの選択欄により診療ステージ「診察」が選択された場合、表示制御機能１５１は、当該診療ステージ「診察」において被検体を担当する医療スタッフの体調に関する情報（診察時体調情報）を、記憶回路１４０の診療ステージテーブルから読み出し、表示領域１４−１に表示する。
【００７１】
このように、本実施形態に係る医用情報処理装置１００では、被検体を担当する医療スタッフの診察時の体調に関する情報を診察時体調情報として取得し、記憶回路１４０の診療ステージテーブルに記録しておくことにより、各診療ステージにおいて医療スタッフがどのような体調で対応していたか等を確認することができる。例えば、被検体を担当する医療スタッフの脈拍を診察時体調情報として取得し、記憶回路１４０の診療ステージテーブルに記録しておくことにより、当該医療スタッフが診療時に落ち着いていたのか等を確認することができる。例えば、被検体を担当する医療スタッフの体温を診察時体調情報として取得し、記憶回路１４０の診療ステージテーブルに記録しておくことにより、当該医療スタッフの体調が診療時に良好であったのか否か等を確認することができる。したがって、本実施形態に係る医用情報処理装置１００では、診察時体調情報を記憶回路１４０に記憶させておくことにより、医療スタッフが被検体に対して診療を行ったときの状況として、医療スタッフの体調を確認することができる。
【００７２】
また、ステージバー表示欄１２Ｄの選択欄により診療ステージ「診察」が選択された場合、表示制御機能１５１は、当該診療ステージ「診察」において被検体を担当する医療スタッフが働く診察室で発生した環境ノイズに関する情報（診察環境ノイズ情報）を、記憶回路１４０の診療ステージテーブルから読み出し、表示領域１４−２に表示する。ここで、診察環境ノイズ情報が診察机３１の音である場合は、表示制御機能１５１が、診察机３１の音を、時間と雑音レベルとの関係を示すグラフに変換して、表示領域１４−２に表示してもよいし、処理回路１５０が、診察机３１の音をスピーカから出力してもよい。
【００７３】
このように、本実施形態に係る医用情報処理装置１００では、被検体を担当する医療スタッフの周辺で発生した環境ノイズに関する情報を診察環境ノイズ情報として取得し、記憶回路１４０の診療ステージテーブルに記録しておくことにより、各診療ステージにおいて医療スタッフがどのような環境で働いていたか等を確認することができる。例えば、診察机３１の揺らぎや音を診察環境ノイズ情報として取得し、記憶回路１４０の診療ステージテーブルに記録しておくことにより、被検体を担当する医療スタッフにストレスがかかっていたのか等を確認することができる。したがって、本実施形態に係る医用情報処理装置１００では、診察環境ノイズ情報を記憶回路１４０に記憶させておくことにより、医療スタッフが被検体に対して診療を行ったときの状況として、医療スタッフが働く診察室で発生した環境ノイズを確認することができる。
【００７４】
図１６は、本実施形態に係る医用情報処理装置１００による処理の手順を示すフローチャートである。
【００７５】
図１６のステップＳ１０１は、医用情報処理装置１００の処理回路１５０が記憶回路１４０からステージ定義機能１５２に対応するプログラムを読み出して実行するステップである。ステップＳ１０１において、ステージ定義機能１５２は、被検体に対する複数の診療ステージを定義する。
【００７６】
図１６のステップＳ１０２は、医用情報処理装置１００の処理回路１５０が記憶回路１４０から取得機能１５３及び記録処理機能１５４に対応するプログラムを読み出して実行するステップである。ステップＳ１０２において、取得機能１５３は、複数の診療ステージの各々で被検体に対して行われた診療に関連する第１情報（診療関連情報）と、第１情報とは異なり、当該診療において収集される第２情報（操作情報、診察時体調情報、診察環境ノイズ情報、患者ノイズ情報）とを取得し、記録処理機能１５４は、取得した第１情報と第２情報とを記憶回路１４０に記憶させる。
【００７７】
図１６のステップＳ１０３は、医用情報処理装置１００の処理回路１５０が記憶回路１４０から表示制御機能１５１に対応するプログラムを読み出して実行するステップである。ステップＳ１０３において、表示制御機能１５１は、複数の診療ステージのうち、指定された診療ステージの第１情報と第２情報とを再生する。すなわち、表示制御機能１５１は、複数の診療ステージのうちの１つの診療ステージが選択された場合、選択された診療ステージにおける第１情報と第２情報とを記憶回路１４０から読み出してディスプレイ１２０に表示させる。
【００７８】
上述のように、第２情報は、被検体に対して行われた診療において収集される情報であるため、将来的に何等かの理由で使用される可能性がある。本実施形態に係る医用情報処理装置１００では、第２情報を記憶回路１４０に記憶させておくことにより、診療を行ったときの状況を確認することができる。
【００７９】
（変形例）
本実施形態に係る医用情報処理装置１００では、患者ノイズ情報については、診療ステージ「診察」において診察室で被検体から発生するノイズを例にして説明した。しかし、これに限定されず、本実施形態に係る医用情報処理装置１００では、被検体が病院内を移動しているときに被検体から発生するノイズについても、患者ノイズ情報として取得し、記憶回路１４０の診療ステージテーブルに記録することができる。
【００８０】
図１７は、患者ノイズ情報として被検体の行動「動画ファイル」を取得する構成の一例を示す図である。例えば、被検体の腕にはリストバンド４５が装着され、リストバンド４５には、被検体の患者番号「Ｐ１２３４」を発信する通信部が設けられている。また、病院には、受付・会計、診察室、売店などの各部屋や、廊下や、トイレや、喫煙室などに、カメラ４６を有する撮影端末４７が設置される。各撮影端末４７には、リストバンド４５に設けられた通信部と近距離無線通信を行う近距離無線通信機能が搭載されている。例えば、各撮影端末４７は、リストバンド４５に設けられた通信部が近距離無線通信範囲内に存在する場合、当該通信部から発信された患者番号「Ｐ１２３４」を受信可能である。この場合、各撮影端末４７は、リストバンド４５に設けられた通信部から発信された患者番号「Ｐ１２３４」を受信したときに、当該リストバンド４５を装着した被検体を撮影し、撮影したときの動画ファイルを医用情報処理装置１００に送信する。具体的には、各撮影端末４７は、患者ノイズ情報として、被検体の患者番号「Ｐ１２３４」と、種類「軌跡」と、項目「本人」と、日時「２０１８年３月１日９時」と、患者行動データとして被検体の行動「動画ファイル」とを医用情報処理装置１００に送信する。医用情報処理装置１００において、取得機能１５３は、各撮影端末４７からの患者ノイズ情報を取得し、記録処理機能１５４は、取得した患者ノイズ情報を診療ステージテーブルに記憶させる。
【００８１】
例えば、図１８に示すように、操作者が医用情報処理装置１００の入力インターフェース１１０を用いて画面１０の処理切替表示領域１１上で処理「再生」を選択し、ステージバー表示欄１２Ｄの選択欄により診療ステージ「受付」と「診察」との間の矢印「→」を選択した場合、表示制御機能１５１は、診療ステージ「診察へ移動中」を診療状況表示欄１２Ｃに表示する。このとき、表示制御機能１５１は、被検体が診察室へ移動するときの被検体の患者ノイズ情報として、被検体の行動「動画ファイル」を、記憶回路１４０の診療ステージテーブルから読み出し、動的情報表示領域１３に表示する。ここで、表示制御機能１５１は、例えば、各撮影端末４７からの被検体の行動「動画ファイル」を編集して、図１８に示すような被検体の軌跡５０を描いた病院施設図を、動的情報表示領域１３（図１８では表示領域１３−５）に表示してもよい。
【００８２】
このように、本実施形態に係る医用情報処理装置１００では、被検体から発生するノイズに関する情報を、患者ノイズ情報として、記憶回路１４０の診療ステージテーブルに記録しておくことにより、被検体（患者）の変化等を確認することができる。例えば、被検体の行動「動画ファイル」を、患者ノイズ情報として、記憶回路１４０の診療ステージテーブルに記録しておくことにより、被検体が認知症の疑いがあり、かつ、被検体が頻繁に同じ行動をとる場合、被検体がいつ頃から同じ行動をとっていたのか等を確認することができる。したがって、本実施形態に係る医用情報処理装置１００では、患者ノイズ情報を記憶回路１４０に記憶させておくことにより、医療スタッフが被検体に対して診療を行ったときの状況として、被検体から発生するノイズを確認することができる。
【００８３】
なお、本実施形態で図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行われる各処理機能は、その全部または任意の一部が、ＣＰＵおよび当該ＣＰＵにて解析実行されるプログラムにて実現され、或いは、ワイヤードロジックによるハードウェアとして実現され得る。
【００８４】
また、本実施形態で説明した表示方法は、予め用意された情報処理プログラムをパーソナルコンピュータやワークステーション等のコンピュータで実行することによって実現することができる。この情報処理プログラムは、インターネット等のネットワークを介して配布することができる。また、この情報処理プログラムは、ハードディスク、フレキシブルディスク（ＦＤ）、ＣＤ−ＲＯＭ、ＭＯ、ＤＶＤ等のコンピュータで読み取り可能な非一時的な記録媒体に記録され、コンピュータによって記録媒体から読み出されることによって実行することもできる。
【００８５】
以上、説明したとおり、本実施形態によれば、診療を行ったときの状況を確認することができる。
【００８６】
本発明の実施形態を説明したが、本実施形態は、例として提示したものであり、発明の範囲を限定することは意図していない。本実施形態は、その他の様々な形態で実施されることが可能であり、発明の要旨を逸脱しない範囲で、種々の省略、置き換え、変更を行うことができる。本実施形態やその変形は、発明の範囲や要旨に含まれると同様に、特許請求の範囲に記載された発明とその均等の範囲に含まれるものである。
【符号の説明】
【００８７】
１００  医用情報処理装置
１２０  ディスプレイ
１５０  処理回路
１５１  表示制御機能
１５２  ステージ定義機能
１５３  取得機能
１５４  記録処理機能
【図１】
2020184181.tif 000003
【図２】
2020184181.tif 000004
【図３】
2020184181.tif 000005
【図４】
2020184181.tif 000006
【図５】
2020184181.tif 000007
【図６】
2020184181.tif 000008
【図７】
2020184181.tif 000009
【図８】
2020184181.tif 000010
【図９】
2020184181.tif 000011
【図１０】
2020184181.tif 000012
【図１１】
2020184181.tif 000013
【図１２】
2020184181.tif 000014
【図１３】
2020184181.tif 000015
【図１４】
2020184181.tif 000016
【図１５】
2020184181.tif 000017
【図１６】
2020184181.tif 000018
【図１７】
2020184181.tif 000019
【図１８】
2020184181.tif 000020